(57)【要約】      （修正有）【課題】記憶装置内のコンテンツを自動削除する際に、関心度が低いと思われるコンテンツを自動的に削除できるようになるＡＶ機器を提供する。【解決手段】録画番組毎に、その録画番組の番組情報に含まれているワードおよびその録画番組の評価値を含む録画番組情報を記憶するための録画番組情報テーブル、録画番組毎にその録画番組の番組情報に含まれているワードを抽出し、抽出したワードを当該録画番組に関連するワードとして録画番組情報テーブルに登録するワード登録手段、録画番組情報テーブルに登録されている各録画番組に関連するワードおよび予め設定されておりかつ番組の感想が書き込まれる可能性が高いと想定される特定のＷｅｂサイトから取得したＷｅｂページに基づいて、録画番組毎に番組評価値を算出して、録画番組情報テーブルに当該録画番組の番組評価値として登録する番組評価値登録手段を備えている。【選択図】図１
2008005404.tif 000002
【特許請求の範囲】
【請求項１】
コンテンツを録画するためのコンテンツ記憶装置を内蔵したＡＶ機器において、
録画番組毎に、その録画番組の番組情報に含まれているワードおよびその録画番組の評価値を含む録画番組情報を記憶するための録画番組情報テーブル、
録画番組毎にその録画番組の番組情報に含まれているワードを抽出し、抽出したワードを当該録画番組に関連するワードとして録画番組情報テーブルに登録するワード登録手段、
録画番組情報テーブルに登録されている各録画番組に関連するワードおよび予め設定されておりかつ番組の感想が書き込まれる可能性が高いと想定される特定のＷｅｂサイトから取得したＷｅｂページに基づいて、録画番組毎に番組評価値を算出して、録画番組情報テーブルに当該録画番組の番組評価値として登録する番組評価値登録手段、および
コンテンツ記憶装置の残り容量が規定値以下になったときに、録画番組に対する番組評価値に基づいて、録画番組のうち関心度が最も低い録画番組を特定し、特定した録画番組のコンテンツをコンテンツ記憶装置から自動的に削除するコンテンツ削除手段を備えており、
番組評価値登録手段は、上記特定のＷｅｂサイトからＷｅｂページを取得する第１手段、録画番組情報テーブルに登録されている、評価対象録画番組に関連する各ワード毎に、取得したＷｅｂページにおいてそのワードが出現している回数を求める第２手段および当該録画番組に関連する各ワード毎に求められた上記Ｗｅｂページでの出現回数に基づいて、当該録画番組の番組評価値を算出する第３手段を備えていることを特徴とするＡＶ機器。
【請求項２】
コンテンツを録画するためのコンテンツ記憶装置を内蔵したＡＶ機器において、
現在までに取得した番組情報中に含まれている各ワードの出現回数を記憶するためのワード出現回数テーブル、
録画番組毎に、その録画番組の番組情報に含まれているワードおよびその録画番組の評価値を含む録画番組情報を記憶するための録画番組情報テーブル、
所定期間毎に番組情報を取得し、取得した番組情報に基づいて、ワード出現回数テーブルの内容を更新するためのワード出現回数テーブル更新手段、
録画番組毎にその録画番組の番組情報に含まれているワードを抽出し、抽出したワードを当該録画番組に関連するワードとして録画番組情報テーブルに登録するワード登録手段、
録画番組情報テーブルに登録されている各録画番組に関連するワード、ワード出現回数テーブルの内容および予め設定されておりかつ番組の感想が書き込まれる可能性が高いと想定される特定のＷｅｂサイトから取得したＷｅｂページに基づいて、録画番組毎に番組評価値を算出して、録画番組情報テーブルに当該録画番組の番組評価値として登録する番組評価値登録手段、および
コンテンツ記憶装置の残り容量が規定値以下になったときに、録画番組に対する番組評価値に基づいて、録画番組のうち関心度が最も低い録画番組を特定し、特定した録画番組のコンテンツをコンテンツ記憶装置から自動的に削除するコンテンツ削除手段を備えており、
番組評価値登録手段は、上記特定のＷｅｂサイトからＷｅｂページを取得する第１手段、録画番組情報テーブルに登録されている、評価対象録画番組に関連する各ワード毎に、取得したＷｅｂページにおいてそのワードが出現している回数を第１出現回数として求めるとともに、ワード出現回数テーブルに記憶されているそのワードの出現回数を第２出現回数として求める第２手段および当該録画番組に関連する各ワード毎に求められた第１出現回数および第２出現回数に基づいて、当該録画番組の番組評価値を算出する第３手段を備えていることを特徴とするＡＶ機器。
【請求項３】
第３手段は、当該録画番組に関連する各ワード毎に、そのワードに対応する第１出現回数と第２出現回数とに基づいてそのワードに対する評価値を算出する第４手段および各ワード毎に算出したワード単位の評価値を加算することにより、当該録画番組の番組評価値を算出する第５手段を備えており、第４手段は、そのワードに対する第１出現回数が多くかつ第２出現回数が少ないほどそのワードに対する評価値が高くなる算出式に基づいてそのワードに対する評価値を算出するものであることを特徴とする請求項２に記載のＡＶ機器。
【発明の詳細な説明】
【技術分野】
【０００１】
この発明は、コンテンツを録画するための記憶装置を内蔵したＨＤＤ内蔵デジタルテレビ、ＤＶＤレコーダ等のＡＶ機器に関する。
【背景技術】
【０００２】
近年、大容量のＨＤＤを備えたデジタルテレビ放送受信機が開発されている。この種のデジタルテレビ放送受信機では、大量のコンテンツを録画することが可能である。一方、コンテンツを録画している場合に、ＨＤＤの記憶残量が少なくなった場合には、ＨＤＤ内に既に格納されているコンテンツの中から不要と考えられるものを自動削除することが好ましい。
【０００３】
しかしながら、ＨＤＤ内に既に格納されているコンテンツのうちいずれのコンテンツが不要であるかを、自動的に判定することは困難である。
【発明の開示】
【発明が解決しようとする課題】
【０００４】
この発明は、記憶装置内のコンテンツを自動削除する際に、関心度が低いと思われるコンテンツを自動的に削除できるようになるＡＶ機器およびコンテンツ自動削除システムを提供することを目的とする。
【課題を解決するための手段】
【０００５】
請求項１に記載の発明は、コンテンツを録画するためのコンテンツ記憶装置を内蔵したＡＶ機器において、録画番組毎に、その録画番組の番組情報に含まれているワードおよびその録画番組の評価値を含む録画番組情報を記憶するための録画番組情報テーブル、録画番組毎にその録画番組の番組情報に含まれているワードを抽出し、抽出したワードを当該録画番組に関連するワードとして録画番組情報テーブルに登録するワード登録手段、録画番組情報テーブルに登録されている各録画番組に関連するワードおよび予め設定されておりかつ番組の感想が書き込まれる可能性が高いと想定される特定のＷｅｂサイトから取得したＷｅｂページに基づいて、録画番組毎に番組評価値を算出して、録画番組情報テーブルに当該録画番組の番組評価値として登録する番組評価値登録手段、およびコンテンツ記憶装置の残り容量が規定値以下になったときに、録画番組に対する番組評価値に基づいて、録画番組のうち関心度が最も低い録画番組を特定し、特定した録画番組のコンテンツをコンテンツ記憶装置から自動的に削除するコンテンツ削除手段を備えており、番組評価値登録手段は、上記特定のＷｅｂサイトからＷｅｂページを取得する第１手段、録画番組情報テーブルに登録されている、評価対象録画番組に関連する各ワード毎に、取得したＷｅｂページにおいてそのワードが出現している回数を求める第２手段および当該録画番組に関連する各ワード毎に求められた上記Ｗｅｂページでの出現回数に基づいて、当該録画番組の番組評価値を算出する第３手段を備えていることを特徴とする。
【０００６】
請求項２に記載の発明は、コンテンツを録画するためのコンテンツ記憶装置を内蔵したＡＶ機器において、現在までに取得した番組情報中に含まれている各ワードの出現回数を記憶するためのワード出現回数テーブル、録画番組毎に、その録画番組の番組情報に含まれているワードおよびその録画番組の評価値を含む録画番組情報を記憶するための録画番組情報テーブル、所定期間毎に番組情報を取得し、取得した番組情報に基づいて、ワード出現回数テーブルの内容を更新するためのワード出現回数テーブル更新手段、録画番組毎にその録画番組の番組情報に含まれているワードを抽出し、抽出したワードを当該録画番組に関連するワードとして録画番組情報テーブルに登録するワード登録手段、録画番組情報テーブルに登録されている各録画番組に関連するワード、ワード出現回数テーブルの内容および予め設定されておりかつ番組の感想が書き込まれる可能性が高いと想定される特定のＷｅｂサイトから取得したＷｅｂページに基づいて、録画番組毎に番組評価値を算出して、録画番組情報テーブルに当該録画番組の番組評価値として登録する番組評価値登録手段、およびコンテンツ記憶装置の残り容量が規定値以下になったときに、録画番組に対する番組評価値に基づいて、録画番組のうち関心度が最も低い録画番組を特定し、特定した録画番組のコンテンツをコンテンツ記憶装置から自動的に削除するコンテンツ削除手段を備えており、番組評価値登録手段は、上記特定のＷｅｂサイトからＷｅｂページを取得する第１手段、録画番組情報テーブルに登録されている、評価対象録画番組に関連する各ワード毎に、取得したＷｅｂページにおいてそのワードが出現している回数を第１出現回数として求めるとともに、ワード出現回数テーブルに記憶されているそのワードの出現回数を第２出現回数として求める第２手段および当該録画番組に関連する各ワード毎に求められた第１出現回数および第２出現回数に基づいて、当該録画番組の番組評価値を算出する第３手段を備えていることを特徴とする。
【０００７】
請求項３に記載の発明は、請求項２に記載の発明において、第３手段は、当該録画番組に関連する各ワード毎に、そのワードに対応する第１出現回数と第２出現回数とに基づいてそのワードに対する評価値を算出する第４手段および各ワード毎に算出したワード単位の評価値を加算することにより、当該録画番組の番組評価値を算出する第５手段を備えており、第４手段は、そのワードに対する第１出現回数が多くかつ第２出現回数が少ないほどそのワードに対する評価値が高くなる算出式に基づいてそのワードに対する評価値を算出するものであることを特徴とする。
【発明の効果】
【０００８】
この発明によれば、記憶装置内のコンテンツを自動削除する際に、関心度が低いと思われるコンテンツを自動的に削除できるようになる。
【発明を実施するための最良の形態】
【０００９】
以下、図面を参照して、この発明の実施例について説明する。
【実施例１】
【００１０】
図１は、デジタルテレビ放送受信機能および録画機能を備えたＡＶ機器の電気的構成を示している。
【００１１】
ＡＶ機器１は、マイコン１１によって制御される。マイコン１１には、制御プログラムや書き換え不要な固定データ等を記憶するＲＯＭ１２、必要なデータを一時記憶する揮発性メモリとしてのＲＡＭ１３および書き換え可能なデータを記憶する不揮発性メモリとしてのＮＲＡＭ１４が接続されている。
【００１２】
また、マイコン１１には、デジタルテレビ放送を受信するためのデジタルチューナ１５、受信したテレビ番組を表示するためのモニタ１６、受信したテレビ番組の録画データ（コンテンツ）等を格納するために用いられるＨＤＤ１７およびマイコン１１をインターネットに接続するためのＬＡＮコントローラ１８が接続されている。
【００１３】
ＡＶ機器１のマイコン１１は、インターネット上のＷｅｂページを取得するための機能を備えている。ＮＲＡＭ１４には、番組の感想が書き込まれる可能性が高いと想定されるチャット、ＢＢＳ(bulletin board system) 等のＷｅｂサイト（以下、番組関連Ｗｅｂサイトという）のＵＲＬが予め登録されている。
【００１４】
ＨＤＤ１７には、現在までに取得した番組情報中に含まれている各ワードの出現回数を記憶するためのワード出現回数テーブルと、録画される番組毎に録画番組情報を記憶するための録画番組情報テーブルとが作成されている。
【００１５】
ワード出現回数テーブルには、図２に示すように、現在までに取得した番組情報中に含まれている各ワードの出現回数が記憶される。録画番組情報テーブルには、図３に示すように、録画番組毎に、当該録画番組のＩＤ、番組名、放送日時、ジャンル、放送局、当該録画番組の番組情報に含まれるワード（当該録画番組に関連するワード）および番組評価値が記憶される。
【００１６】
ＡＶ機器１のマイコン１１は、ワード出現回数テーブルを更新するための”ワード出現回数テーブル更新処理”、録画番組毎に番組評価値以外の録画番組情報を作成して録画番組情報テーブルに登録する”録画番組情報登録処理”、録画番組毎に、録画番組情報テーブル、ワード出現回数テーブルおよび番組関連Ｗｅｂサイトから取得したＷｅｂページに基づいて、番組評価値を算出して、録画番組情報テーブルに登録する”番組評価値算出処理”ならびに番組評価値に基づいてＨＤＤ１７内のコンテンツを自動削除する”コンテンツ自動削除処理”を行なう。
【００１７】
図４は、”ワード出現回数テーブル更新処理”の手順を示している。
ワード出現回数テーブル更新処理は、１日１回、予め定められた時刻に行なわれる。例えば、ＡＭ３：００に行なわれる。
【００１８】
ワード出現回数テーブル更新処理においては、所定時刻（ＡＭ３：００）になると（ステップＳ１）、１日分の全番組の番組情報を取得する（ステップＳ２）。つまり、本日のＡＭ３：００から翌日のＡＭ３：００までに放送される全番組の番組情報を取得する。取得した番組情報から、それに含まれている単語（ワード）を抽出する（ステップＳ３）。そして、今回抽出したワードに基づいて、抽出したワード毎にその出現回数のリストを作成する（ステップＳ４）。
【００１９】
次に、それまでに作成されているワード出現回数テーブルに、ステップＳ４で作成されたリストを合成することにより、ワード出現回数テーブルを更新する（ステップＳ５）。      
【００２０】
図５の１００はステップＳ４で作成されたリストの例を示し、２００はそれまでに作成されているワード出現回数テーブルの例を示し、３００はステップＳ４で作成されたリスト１００とそれまでに作成されているワード出現回数テーブル２００とを合成することにより得られたワード出現回数テーブルを示している。
【００２１】
図６は、”録画番組情報登録処理”の手順を示している。
【００２２】
録画番組情報登録処理は、番組の録画開始時に行なわれる。番組の録画が開始されると（ステップＳ１１）、その録画番組の番組情報を取得する（ステップＳ１２）。取得した番組情報から、それに含まれている単語（ワード）を抽出する（ステップＳ１３）。そして、録画番組情報テーブル（図３参照）に、当該録画番組のＩＤ、番組名、放送日時、ジャンル、放送局、当該録画番組の番組情報に含まれるワードを登録する（ステップＳ１４）。
【００２３】
図７は、”番組評価値算出処理”の手順を示している。
【００２４】
番組評価値算出処理は、この実施例では、録画終了直後に行なわれる。番組の録画が終了すると（ステップＳ２１）、インターネット上の番組関連ＷｅｂサイトからＷｅｂページ（ＨＴＭＬ文書等）を取得する（ステップＳ２２）。そして、録画番組情報テーブル（図３参照）内の当該録画番組に関連する各ワード毎に、取得したＷｅｂページにそのワードが出現している回数を求める（ステップＳ２３）。
【００２５】
次に、次式（１）に基づいて、当該録画番組の番組評価値を算出し、算出結果を録画番組情報テーブル（図３参照）内の当該録画番組に対応する番組評価値として登録する（ステップＳ２４）。
【００２６】
番組評価値Ａ＝｛当該録画番組に関連する各ワード毎に算出される評価値Ｂ｝の総和
…（１）
【００２７】
あるワードに対する評価値Ｂは、次式（２）で表される。
【００２８】
Ｂ＝｛取得したＷｅｂページ内でのそのワードの出現回数×１／（ワード出現回数テーブルでのそのワードの出現回数＋１）｝          …（２）
【００２９】
あるワードに対する対する評価値Ｂは、取得したＷｅｂページ内でのそのワードの出現回数に、重み｛１／（ワード出現回数テーブルでのそのワードの出現回数＋１）｝を乗算した値となっている。したがって、あるワードに対する対する評価値Ｂは、取得したＷｅｂページ内でのそのワードの出現回数が大きいほどかつワード出現回数テーブルでのそのワードの出現回数が少ないほど、大きくなる。
【００３０】
これは、取得したＷｅｂページ内でのそのワードの出現回数が大きいほどそのワードに関する関心度が高いと考えられるからである。また、ワード出現回数テーブルでのそのワードの出現回数が少ないほど、そのワードの重要度が高いと考えられるからである。
【００３１】
図８は、”コンテンツ自動削除処理”の手順を示している。
【００３２】
録画中において、ＨＤＤ１７の残り容量が規定値以下になったか否かを監視する（ステップＳ３１）。録画中において、ＨＤＤ１７の残り容量が規定値以下になった場合には、録画番組情報テーブル（図３参照）内の各録画番組毎の録画番組情報のうち、番組評価値が最も低いものを特定する（ステップＳ３２）。番組評価値が最も低いものが１つである場合には（ステップＳ３３でＮＯ）、上記ステップＳ３２で特定された番組評価値が最も低い録画番組情報を録画番組情報テーブルから削除するとともに、その録画番組情報に対応する録画データ（コンテンツデータ）をＨＤＤ１７から削除する（ステップＳ３４）。そして、ステップＳ３１に戻る。
【００３３】
上記ステップＳ３３において、番組評価値が最も低いものが２以上ある場合には（ステップＳ３３でＹＥＳ）、それら複数の録画番組情報のうち録画時刻（放送開始時刻）が最も古い録画番組情報を録画番組情報テーブルから削除するとともに、その録画番組情報に対応する録画データ（コンテンツデータ）をＨＤＤ１７から削除する（ステップＳ３５）。そして、ステップＳ３１に戻る。
【００３４】
上記実施例では、あるワードに対する評価値Ｂは、上記式（２）で示したように、”取得したＷｅｂページ内でのそのワードの出現回数”に”重み”を乗算しているが、”重み”を乗算しないようにしてもよい。つまり、あるワードに対する評価値Ｂを”取得したＷｅｂページ内でのそのワードの出現回数”としてもよい。その場合には、ワード出現回数テーブル（図２参照）は不要であり、ワード出現回数テーブル更新処理も不要である。
【図面の簡単な説明】
【００３５】
【図１】ＡＶ機器１の電気的構成を示すブロック図である。
【図２】ワード出現回数テーブルの一例を示す模式図である。
【図３】録画番組情報テーブルの一例を示す模式図である。
【図４】ワード出現回数テーブル更新処理の手順を示すフローチャートである。
【図５】ワード出現回数テーブル更新処理を説明するための模式図である。
【図６】録画番組情報登録処理の手順を示すフローチャートである。
【図７】番組評価値算出処理の手順を示すフローチャートである。
【図８】コンテンツ自動削除処理の手順を示すフローチャートである。
【符号の説明】
【００３６】
１  ＡＶ機器
１１  マイコン
１２  ＲＯＭ
１３  ＲＡＭ
１４  ＮＲＡＭ
１５  デジタルチューナ
１７  ＨＤＤ
１８  ＬＡＮコントローラ
【図１】
2008005404.tif 000003
【図２】
2008005404.tif 000004
【図３】
2008005404.tif 000005
【図４】
2008005404.tif 000006
【図５】
2008005404.tif 000007
【図６】
2008005404.tif 000008
【図７】
2008005404.tif 000009
【図８】
2008005404.tif 000010